(57)【要約】【課題】機械部品から容易に取り外すことができ、再利用が可能な部品識別ユニットを提供する。【解決手段】パチンコ遊技機の制御基板は、例えば、直方体状の中空のケーシング３０内に収納されており、ケーシング３０の下部には雌ねじ孔３２が設けられている。この雌ねじ孔３２に部品識別ユニット１０の雄ねじ溝が設けられた凸部１４を螺合させてねじ留めし、上記の部品識別ユニット１０を制御基板に簡単に取り付けることができる。また、ねじ留めされているだけなので、部品識別ユニット１０を制御基板から取り外すのも簡単である。【選択図】図３
2004213189.tif 000002
【特許請求の範囲】
【請求項１】
情報の記録が可能で且つ情報の書換えが可能なＩＣチップを備え且つ取付ける機械部品に対し着脱自在に構成された部品識別ユニット。
【請求項２】
取付ける機械部品に設けられた穴部に着脱自在に取り付けられる取付部を備えた基体と、
該基体に保持された情報の記録が可能で且つ情報の書換えが可能なＩＣチップと、
該ＩＣチップに記録された情報を外部に送信するアンテナと、
を備えた部品識別ユニット。
【請求項３】
前記取付部に、前記穴部に形成された雌ねじ部に螺合される雄ねじ部を形成した請求項２に記載の部品識別ユニット。
【請求項４】
前記穴部は、前記取付部の端面形状と相似形に形成されている請求項２に記載の部品識別ユニット。
【請求項５】
前記ＩＣチップに、取付ける機械部品の情報を記録した請求項１乃至４のいずれか１項に記載の部品識別ユニット。
【請求項６】
前記情報は、取付ける機械部品のＩＤコードである請求項５に記載の部品識別ユニット。
【請求項７】
前記情報は、取付ける機械部品の材料に関する情報である請求項５に記載の部品識別ユニット。
【請求項８】
前記ＩＣチップは、非接触で読み取り可能な無線ＩＣチップである請求項１乃至７のいずれか１項に記載の部品識別ユニット。
【請求項９】
複数の機械部品の種類に応じて、色、大きさ、及び形の少なくとも１つを変えた請求項１乃至８のいずれか１項に記載の部品識別ユニット。
【請求項１０】
請求項１乃至９のいずれか１項に記載の部品識別ユニットが、少なくとも１つの部品に取り付けられた遊技機。
【請求項１１】
請求項１乃至９のいずれか１項に記載の部品識別ユニットをリサイクル対象又はリユース対象となる遊技機部品に取り付け、前記部品識別ユニットの前記ＩＣチップに記録された情報に基づいて、前記遊技機部品を分別回収し、回収した部品識別ユニットの情報を書き換えて再使用すると共に、回収した遊技機部品をリサイクル又はリユースするリサイクル・リユース方法。
【発明の詳細な説明】
【０００１】
【発明の属する技術分野】
本発明は、部品識別ユニット、遊技機、及び遊技機部品のリサイクル・リユース方法に係り、特に、特定の機械部品を識別するために該部品に取り付けられる部品識別ユニットと、該部品識別ユニットが取り付けられた遊技機と、該部品識別ユニットを用いた遊技機部品のリサイクル・リユース方法と、に関する。
【０００２】
【従来の技術】
従来、遊技機の収容部に収容された遊技制御基板にＩＣチップを含むＩＤ発信機を取り付け、ＩＤ発信機から送信されたＩＤコードの正否を判断することで、遊技制御基板が不正なものにすり替えられるのを防止する技術が提案されている（特許文献１参照）。
【０００３】
ＩＤ発信機は、不正行為を防止するために遊技制御基板に取り付けられるため、外部から手を加え難いように、収容部の樹脂層中に埋め込まれている。また、収容部の表面に貼り付ける場合には、簡単に取り外されないように、剥離困難なシール等で強力に固定されている。
【０００４】
一方、２００１年４月より改正リサイクル法（正式には「資源の有効な利用の促進に関する法律」）が施行されており、遊技機も「指定資源化製品」及び「指定再生利用促進製品」に指定されている。従って、リサイクルを前提とした遊技機設計が必要とされている。
【０００５】
【特許文献１】
特許第３０８８９７８号公報
【０００６】
【発明が解決しようとする課題】
しかしながら、有害物質を含むＩＣチップを部品に取り付けたまま、その部品をリサイクルすることはできない、という問題がある。即ち、従来の技術では、ＩＣチップを含むＩＤ発信機は、無断で取り外せないように遊技機部品に強固に取り付けられており、ＩＤ発信機が取り付けられた部品をリサイクルする際には、その部品を壊してＩＣチップを除去するしかない。これでは部品回収の負担が過大になる。
【０００７】
本発明は上記問題を解決すべく成されたものであり、本発明の目的は、機械部品から容易に取り外すことができ、再利用が可能な部品識別ユニットを提供することにある。また、本発明の他の目的は、本発明の部品識別ユニットが特定の部品に取り付けられることで、該特定部品の識別を容易に行うことができる遊技機を提供することにある。また、本発明の更に他の目的は、本発明の部品識別ユニットが特定の部品に取り付けられることで、該特定部品の分別回収が容易な遊技機部品のリサイクル方法を提供することにある。
【０００８】
【課題を解決するための手段】
上記目的を達成するために本発明の部品識別ユニットは、情報の記録が可能で且つ情報の書換えが可能なＩＣチップを備え且つ取付ける機械部品に対し着脱自在に構成されたことを特徴とする。
【０００９】
本発明の部品識別ユニットは、取付ける機械部品に対し着脱自在に構成されているので、機械部品から容易に取り外すことができる。また、部品識別ユニットは、情報の記録が可能で且つ情報の書換えが可能なＩＣチップを備えているので、取り外した後も情報を書き換えて再利用することができる。
【００１０】
上記の部品識別ユニットは、例えば、取付ける機械部品に設けられた穴部に着脱自在に取り付けられる取付部を備えた基体と、該基体に保持された情報の記録が可能で且つ情報の書換えが可能なＩＣチップと、該ＩＣチップに記録された情報を外部に送信するアンテナと、を備えるように構成されている。この構成では、部品識別ユニットが機械部品に取り付けられている間は、外部から電波を供給することによりアンテナを介してＩＣチップに記録されたデータを外部に送信することができる。部品識別ユニットの基体に設けられた取付部は、機械部品に設けられた穴部に着脱自在に取り付けられており、部品識別ユニットを機械部品から取り外すことで部品識別ユニット及び機械部品を各々回収することができる。部品識別ユニットに含まれるＩＣチップは、情報の記録が可能で且つ情報の書換えが可能であり、再利用することができる。
【００１１】
基体に設けられた取付部に、前記穴部に形成された雌ねじ部に螺合される雄ねじ部が形成されていてもよい。ねじ機構によれば着脱が容易である。また、取付ける機械部品に設けられた穴部は、前記取付部の端面形状と相似形に形成されていてもよい。
【００１２】
上記の部品識別ユニットに含まれるＩＣチップには、取付ける機械部品の情報が記憶されていることが好ましい。このような情報としては、機械部品のＩＤコード、機械部品の材料に関する情報等が挙げられる。これらの情報から特定の機械部品を識別することができる。また、ＩＣチップとしては、非接触で読み取り可能な無線ＩＣチップが好ましい。
【００１３】
また、複数の機械部品がある場合には、複数の機械部品の種類に応じて、色、大きさ、及び形の少なくとも１つを変えた部品識別ユニットとすることができる。機械部品の種類に応じて、部品識別ユニットの色、大きさ、及び形の少なくとも１つを変えることで、部品識別ユニットを取り付ける際に、色、大きさ、形から、どの部品にどの部品識別ユニットを取り付けるかを、簡単に判断することができる。
【００１４】
上記目的を達成するために本発明の遊技機は、本発明の部品識別ユニットが、少なくとも１つの部品に取り付けられたことを特徴とする。本発明の部品識別ユニットが特定の部品に取り付けられることで、該特定部品の識別を容易に行うことができる。
【００１５】
上記目的を達成するために本発明の遊技機部品のリサイクル・リユース方法は、本発明の部品識別ユニットをリサイクル対象又はリユース対象となる遊技機部品に取り付け、前記部品識別ユニットの前記ＩＣチップに記録された情報に基づいて、前記遊技機部品を分別回収し、回収した部品識別ユニットの情報を書き換えて再使用すると共に、回収した遊技機部品をリサイクル又はリユースすることを特徴とする。本発明の部品識別ユニットが特定の部品に取り付けられることで、該特定部品の分別回収が容易になる。
【００１６】
【発明の実施の形態】
以下、図面を参照して本発明の部品識別ユニットをパチンコ遊技機の部品の識別に適用した実施の形態を詳細に説明する。
（第１の実施の形態）
図１、図２（Ａ）〜（Ｃ）に示すように、第１の実施の形態に係る部品識別ユニット１０は、円柱状の基体１２と、基体１２の一方の端面に同軸的に設けられた基体１２より小径の円柱状の凸部１４と、を備えている。この凸部１４が取付部に相当する。凸部１４の外周部には、後述する雌ねじ孔と螺合するように雄ねじ溝が設けられている。基体１２の他方の端面には、該端面に対して直角に板状のつまみ部１６が設けられている。このつまみ部１６は、つまみ部１６をひねることにより基体１２を中心軸の周りに回転させられるように、基体１２の径方向に沿って設けられている。つまみ部１６の径方向の長さは、つまみ部１６が基体１２からはみ出さないように、基体１２の直径よりも短く設定されている。
【００１７】
基体１２の内部には、基体１２の中心にＩＣチップ１８が埋め込まれている。また、基体１２及びつまみ部１６の内部には、ＩＣチップ１８に接触し且つ基体１２の中心軸に沿って延びる棒状のアンテナ２０が埋め込まれている。この構成では、外部から電波を供給することによりアンテナを介してＩＣチップに記録されたデータを外部に送信することができる。
【００１８】
例えば、ＩＣチップ１８とアンテナ２０との間にコイルとコンデンサとを含む回路を設け、電磁誘導によりコイルに起電力を発生させてコンデンサを充電し、コンデンサからＩＣチップ１８に電力を供給することで、ＩＣチップ１８を駆動することができる。また、部品識別ユニットが機械部品から取り外されると回路が切断されるようにすることで、部品識別ユニットが機械部品に取り付けられている間だけ、データを外部に送信することができる。
【００１９】
ＩＣチップ１８としては、データの記録及び書換えが可能な無線認識ＩＣチップが使用される。部品識別ユニット１０を小型化するために、直径１ｍｍ程度の小型ＩＣチップを用いるのが好ましい。
【００２０】
部品のリサイクルを容易化するために、ＩＣチップ１８の不揮発性メモリ（ＥＥＰＲＯＭ）には、部品を特定するＩＤコードの外、部品材質に関する情報、部品のリユース回数、部品の製造年月日、部品が取り付けられた遊技機の機械番号、履歴等の情報を記憶することが好ましい。特に、部品材質に関する情報については、例えば、ＡＢＳ樹脂等の樹脂の種類だけでなく、リサイクルによる再生材料を既に含んでいる場合のように、複数種類の樹脂が配合された材料の場合は、その配合率（例えば、バージン材料Ａ％，再生材料Ｂ％）を含む詳細な情報を記憶しておくことが好ましい。
【００２１】
次に、図３を参照して、パチンコ遊技機の制御基板に上記の部品識別ユニット１０を取り付ける方法について説明する。制御基板は、例えば、直方体状の中空のケーシング３０内に収納されており、ケーシング３０の下部には雌ねじ孔３２が設けられている。この雌ねじ孔３２に部品識別ユニット１０の雄ねじ溝が設けられた凸部１４を螺合させてねじ留めすることで、上記の部品識別ユニット１０をケーシング３０（ひいては制御基板）に簡単に取り付けることができる。また、ねじ留めして取り付けられているため、部品識別ユニット１０をケーシング３０から取り外すのも簡単である。
【００２２】
パチンコ遊技機は、各種制御基板の外、多数の部品を備えているが、上記の部品識別ユニット１０は、リサイクルの必要のある各種部品に適宜取り付けることができる。例えば、図４に示すように、部品識別ユニット１０を、遊技盤の枠本体３４、音声制御用基板３６、払出制御用基板３８、発射制御用基板４０等に取り付けることができる。また、例えば、図５に示すように、部品識別ユニット１０を、遊技盤の裏面に在るゲージ盤４２、遊技制御基板４４等に取り付けることができる。
【００２３】
次に、リサイクル時における上記の部品識別ユニット１０の役割について説明する。遊技機の廃棄が決定されると、ホールから回収されて管理センタに集積される。そして、解体する遊技機については、リサイクル業者に引き取られて解体され、各部品が取り外される。
【００２４】
リサイクル対象である部品には、上記した通り、予め部品識別ユニット１０が取り付けられている。回収場所において、部品識別ユニット１０が取り付けられた部品については、図示しないリーダで、ＩＣチップ１８に記憶された情報を読み取る。これにより、どのような部品が回収されたかを確認することができる。また、読み取った情報に基づいて部品を分別することができる。例えば、液晶、木材、ＡＢＳ樹脂、ポリカーボネート樹脂等、リサイクルされる材料に応じて分別する。このとき、後述するように、部品識別ユニット１０の色が部品に応じて変えられていると、目視で材料を予測したり、部品識別ユニットの取付位置を目視で容易に確認することができる。
【００２５】
部品分別後は、部品から部品識別ユニット１０を取り外して回収する。回収された部品識別ユニット１０は、ＩＣチップ１８のメモリに記憶されたデータが新たな部品に関するデータに書き換えられ、新たな部品に取付けられる。
【００２６】
以上説明した通り、本実施の形態に係る部品識別ユニットは、ねじ留めして遊技機部品に取り付けるので、簡単に取り付けることができると共に、簡単に取り外すことができる。従って、リサイクルの際に部品から容易に除去することができる。
【００２７】
また、部品識別ユニットはデータの書換えが可能なＩＣチップを備えているため、部品から取り外した部品識別ユニット自体も再利用（リサイクル）することができ、経済的である。即ち、データを書き換えて他の部品に取り付けることができる。
【００２８】
更に、リサイクルの際には、ＩＣチップに記録された情報に基づいて遊技機部品を分別回収することができるので、分別作業が簡単になる。また、無線識別ＩＣチップを用いることで、分別作業の自動化を図ることができる。特に、部品の材料に関する詳細情報をＩＣチップに記録しておくことで、材料に応じた分別回収が容易になる。
【００２９】
なお、上記では、部品が取り付けられた遊技機の機械番号、履歴等の情報もＩＣチップに記録しておくことができる。これらの情報を所定の管理システムで管理することにより、部品のすり替えにより遊技機の違法改造を防止するのに寄与することができる。しかしながら、部品識別ユニットは遊技機部品に対し着脱自在に構成されているので、違法改造防止の実効が図れない。従って、遊技機の機械番号、履歴等の情報は、図６に示すように、破壊しなければ取り外せないように、ケーシング３０の壁面にＩＣチップ４６を固着して、別途記録しておいてもよい。この場合、ＩＣチップ４６が固着された壁面の周囲には、切り欠き４８を設けることが好ましい。切り欠き４８により壁面の破壊が容易になり、リサイクル時にＩＣチップ４６を除去し易くなる。または、リサイクル時に除去せずに済むように、バーコード等で遊技機の機械番号、履歴等の情報を記録することもできる。
【００３０】
（第２の実施の形態）
第２の実施の形態に係る部品識別ユニットは、部品への取付方法が異なる以外は第１の実施の形態に係る部品識別ユニットと同じ構成であるため、同一部分には同じ符号を付して説明を省略し、相違点のみ説明する。
【００３１】
図７に示すように、制御基板が収納されたケーシング３０の下部には、ケーシング３０の壁面を貫通する孔３２Ａが設けられている。この孔３２Ａの周縁部の円周等分位置には、孔３２Ａの周縁から放射線状に延びる複数（図７では４個）の切り欠き３２Ｂが形成されている。
【００３２】
一方、部品識別ユニット１０Ａの基体１２の一方の端面には、基体１２より小径の円柱状の凸部１４Ａが同軸的に設けられている。この凸部１４Ａの端面近傍の外周面には、孔３２Ａの切り欠き３２Ｂと嵌合可能に複数（図７では４個）の突起部１４Ｂが設けられている。即ち、切り欠き３２Ｂを備えた孔３２Ａは、突起部１４Ｂを備えた凸部１４Ａの端面形状と相似形に形成されている。
【００３３】
また、突起部１４Ｂの各々はくさび形をしており、部品識別ユニット１０Ａの回転方向（図７では矢印Ａ方向）に向かって中心軸方向の幅が狭くなっている。突起部１４Ｂの幅が最も狭い部分では、突起部１４Ｂと基体１２との間隔はケーシング３０の壁面の厚さより広くなっている。また、突起部１４Ｂの幅が最も広い部分では、突起部１４Ｂと基体１２との間隔はケーシング３０の壁面の厚さより狭くなっている。
【００３４】
パチンコ遊技機の制御基板に上記の部品識別ユニット１０Ａを取り付ける場合には、突起部１４Ｂが切り欠き３２Ｂと嵌合するように位置合わせをして凸部１４Ａを孔３２Ａに押し込み、突起部１４Ｂの斜面が切り欠き３２Ｂの角部に突き当たって回転が阻止されるまで、部品識別ユニット１０Ａを矢印Ａ方向に回転させる。これにより、凸部１４Ａが孔３２Ａに強固に取り付けられる。
【００３５】
以上説明した通り、本実施の形態に係る部品識別ユニットは、押し込みと回転とにより、遊技機部品に簡単に取り付けることができると共に、簡単に取り外すことができる。従って、リサイクルの際に部品から容易に除去することができる。また、部品識別ユニット自体もリサイクル可能な点、分別作業が簡単になる点は、第１の実施の形態と同様である。
【００３６】
なお、第１及び第２の実施の形態において、部品識別ユニットを複数種類の部品に取り付ける場合には、部品の種類に応じて、視覚的に認識できる要素（色、大きさ、及び形）の少なくとも１つを変えた部品識別ユニットを用意するのが好ましい。例えば、音声制御用基板には赤色のユニット、払出制御用基板には緑色のユニット、発射制御用基板には青色のユニットを取り付けることとすれば、どの部品にどの部品識別ユニットを取り付けるかを視覚的に判断でき、装着ミスを防止することができる。
【００３７】
なお、上記第１及び第２の実施の形態では、部品識別ユニットをパチンコ遊技機の部品の識別に適用した実施の形態について説明したが、スロットマシーン等のパチンコ遊技機以外の遊技機の部品の識別や、その他の機械部品の識別に適用することもできる。
【００３８】
【発明の効果】
本発明の部品識別ユニットによれば、機械部品から容易に取り外すことができ、再利用が可能になる、という効果を得ることができる。また、本発明の遊技機によれば、部品識別ユニットが特定の部品に取り付けられることで、該特定部品の識別を容易に行うことができる、という効果を得ることができる。更に、本発明の遊技機部品のリサイクル方法によれば、本発明の部品識別ユニットが特定の部品に取り付けられることで、該特定部品の分別回収が容易になる、という効果を得ることができる。
【図面の簡単な説明】
【図１】第１の実施の形態に係る部品識別ユニットの構成を示す斜視図である。
【図２】（Ａ）〜（Ｃ）は図１の部品識別ユニットを異なる方向から見た図である。（Ａ）は背面図、（Ｂ）は側面図、（Ｃ）は正面図である。
【図３】図１に示す部品識別ユニットと取り付け部品との関係を示す斜視図である。
【図４】ガラス窓等が捨象されたパチンコ機の正面図である。
【図５】パチンコ機の裏面図である。
【図６】第１の実施の形態に係る部品識別ユニットを部品に取り付ける場合の変形例を示す斜視図である。
【図７】第２の実施の形態に係る部品識別ユニットの構成と、該ユニットと取り付け部品との関係と、を示す斜視図である。
【符号の説明】
１０、１０Ａ  部品識別ユニット
１２  基体
１４，１４Ａ  凸部
１４Ｂ  突起部
１６  つまみ部
１８，４６  ＩＣチップ
２０  アンテナ
３０  ケーシング
３２  雌ねじ孔
３２Ａ  孔
３２Ｂ  切り欠き
【図１】
2004213189.tif 000003
【図２】
2004213189.tif 000004
【図３】
2004213189.tif 000005
【図４】
2004213189.tif 000006
【図５】
2004213189.tif 000007
【図６】
2004213189.tif 000008
【図７】
2004213189.tif 000009